(57)【要約】【課題】後席シートに着座した乗員を効果的に保護することができる車両用エアバッグ装置を提供する。【解決手段】車室内の前方部にインストルメントパネル２が車幅方向に延びるように設置され、このインストルメントパネル２の車幅方向中央後方側に前席シート５が配設されるとともに、この前席シート５の斜め後方側に複数の乗員が着座可能な後席シート６，６が配設された車両において、上記インストルメントパネル２には、車両の衝突時に展開して後席シート６，６に着座した乗員を保護するエアバッグ２２を備えたエアバッグ装置１８が設けられた。【選択図】図４
2008265667.tif 000002
【特許請求の範囲】
【請求項１】
車室内の前方部にインストルメントパネルが車幅方向に延びるように設置され、このインストルメントパネルの後方側に前席シートが配設されるとともに、この前席シートの斜め後方側に複数の乗員が着座可能な後席シートが配設された車両において、上記インストルメントパネルには、車両の衝突時に展開して後席シートに着座した乗員を保護するエアバッグを備えたエアバッグ装置が設けられたことを特徴とする車両用エアバッグ装置。
【請求項２】
上記エアバッグ装置は、前席シートに着座した乗員を保護するエアバッグを備えたことを特徴とする請求項１に記載の車両用エアバッグ装置。
【請求項３】
上記エアバッグ装置は、前席シートに着座した乗員を保護する前席用エアバッグ部と、後席シートに着座した乗員を保護する後席用エアバッグ部とを有し、これらの前席用エアバッグ部および後席用エアバッグ部が一体的に形成されたことを特徴とする請求項２に記載の車両用エアバッグ装置。
【請求項４】
上記前席用エアバッグ部に、ステアリングホイールとの干渉を回避する凹部が形成されたことを特徴とする請求項３に記載の車両用エアバッグ装置。
【請求項５】
フロアパネル上の車幅方向中心部に運転席シートからなる前列シートが配設されるとともに、その斜め後方側に左右一対の後席シートが配設され、上記エアバッグ装置は、左右の後席シートに着座した乗員をそれぞれ保護する左右一対の後席用エアバッグ部を備えたことを特徴とする請求項１〜５のいずれか１項に記載の車両用エアバッグ装置。
【発明の詳細な説明】
【技術分野】
【０００１】
本発明は、車室前部に設けられたインストルメントパネルの後方側に前席シートが配設されるとともに、この前席シートの斜め後方側に複数の乗員が着座可能な後席シートが配設された車両において後席シートの乗員を保護する車両用エアバッグ装置に関するものである。
【背景技術】
【０００２】
近年、車両の燃料消費量を低減する等の要求から、車体を軽量でコンパクトに形成することが求められているが、このような車両では、コンパクトな構成でありながら車室内に複数の乗員が着座可能なスペースを確保するための工夫が必要となる。例えば、下記特許文献１では、車室内の車幅方向中央部に運転席シートからなる前席シートを配設するとともに、その後方側に複数の後席シートを配設することにより、車体をコンパクト化しつつ車室内に複数の乗員が着座可能なスペースを確保することが行われている。
【特許文献１】特開平７−１５６８０７号公報
【発明の開示】
【発明が解決しようとする課題】
【０００３】
上記特許文献１に開示されているように、運転席シートからなる前席シートが車室内の車幅方向中央部に配設されるとともに、この前席シートの斜め後方側に後席シートが配設された車両では、この後席シートの前方部に広い空間が形成されているので、後席シートに着座した乗員の前方視界が良好に確保されるとともに、優れた居住環境が得られるという利点がある。しかし、上記後席シートの前方部に運転席シートまたは助手席シート等からなる前席シートが位置していないため、車両の衝突時等に、後席シートに着座した乗員の前方移動を上記前席シートによって規制することができないとともに、この乗員を保護するためのエアバッグ装置を設置することは困難であり、後席シートの乗員を安定した着座状態に保持できるようにすることが望まれていた。
【０００４】
本発明は、上記のような事情に鑑みてなされたものであり、後席シートに着座した乗員を効果的に保護することができる車両用エアバッグ装置を提供することを目的としたものである。
【課題を解決するための手段】
【０００５】
請求項１に係る発明は、車室内の前方部にインストルメントパネルが車幅方向に延びるように設置され、このインストルメントパネルの後方側に前席シートが配設されるとともに、この前席シートの斜め後方側に複数の乗員が着座可能な後席シートが配設された車両において、上記インストルメントパネルには、車両の衝突時に展開して後席シートに着座した乗員を保護するエアバッグを備えたエアバッグ装置が設けられたものである。
【０００６】
請求項２に係る発明は、上記請求項１に記載の車両用エアバッグ装置において、上記エアバッグ装置が、前席シートに着座した乗員を保護するエアバッグを備えたものである。
【０００７】
請求項３に係る発明は、上記請求項２に記載の車両用エアバッグ装置において、上記エアバッグ装置が、前席シートに着座した乗員を保護する前席用エアバッグ部と、後席シートに着座した乗員を保護する後席用エアバッグ部とを有し、これらの前席用エアバッグ部および後席用エアバッグ部が一体的に形成されたものである。
【０００８】
請求項４に係る発明は、上記請求項３に記載の車両用エアバッグ装置において、上記前席用エアバッグ部に、ステアリングホイールとの干渉を回避する凹部が形成されたものである。
【０００９】
請求項５に係る発明は、上記請求項１〜４のいずれか１項に記載の車両用エアバッグ装置において、フロアパネル上の車幅方向中心部に運転席シートからなる前列シートが配設されるとともに、その斜め後方側に左右一対の後席シートが配設され、上記エアバッグ装置が、左右の後席シートに着座した乗員をそれぞれ保護する左右一対の後席用エアバッグ部を備えたものである。
【発明の効果】
【００１０】
請求項１に係る発明では、インストルメントパネルの後方側に前席シートが配設されるとともに、この前席シートの斜め後方側に複数の乗員が着座可能な後席シートが配設されることにより、この後席シートの前方部に広い空間が形成され、後席シートに着座した乗員の前方視界が良好に確保されるとともに、優れた居住環境が得られるように構成された車両において、上記インストルメントパネルに設けられたエアバッグを、車両の衝突時に展開させることにより、上記後席シートに着座した乗員の前方移動を規制してこの乗員を効果的に保護することができる。
【００１１】
請求項２に係る発明では、エアバッグ装置に、前席シートに着座した乗員を保護するエアバッグを設けたため、このエアバッグを展開させることにより、運転席からなる前席シートに着座した乗員と、その斜め後方側に配設された後席シートに着座した乗員とをそれぞれ保護できるという利点がある。
【００１２】
請求項３に係る発明では、前席シートに着座した乗員を保護する前席用エアバッグ部と、後席シートに着座した乗員を保護する後席用エアバッグ部とを一体的に形成したため、上記インフレータから供給された膨張用ガスにより前席用エアバッグ部および後席用エアバッグ部を時差なく略同時に展開させることにより、前席シートの乗員と後席シートの乗員とそれぞれ効果的に保護できるという利点がある。
【００１３】
請求項４に係る発明では、前席用エアバッグ部に、ステアリングホイールとの干渉を回避する凹部を形成したため、上記インストルメントパネルに設置されたエアバッグを展開させる際に、このエアバッグが上記ステアリングホイールと干渉してその展開性が阻害されるという事態の発生を効果的に防止し、簡単な構成で上記エアバックをスムーズに展開させることができる。
【００１４】
請求項５に係る発明では、上記前席シートの左右両側方部に形成された空間部を荷物等の収納スペースとして利用することができるため、車室の後方側にラゲージルームを設けた場合のように、車体の前後寸法が大きくなったり、車体のデザイン性が悪化したりする等の問題を生じることなく、乗員用の荷物等を収納するためのスペースを充分に確保できるとともに、上記左右一対の後席用エアバッグ部により、後席シートに着座した乗員をそれぞれ効果的に保護することができる。
【発明を実施するための最良の形態】
【００１５】
図１〜図３は、本発明に係る車両用エアバッグ装置を備えた車両を示し、この車両の側面部にはサイドドア１，１により開閉される乗降用開口部が形成されるとともに、車室内の前方部にはインストルメントパネル２が車幅方向に延びるように設置されている。上記インストルメントパネル２の車幅方向中央部には、ステアリングホイール３が設置されるとともに、その後方側に位置するフロアパネル４上に運転席シートからなる前席シート５が配設されている。この前席シート５の斜め後方側には、左右一対の後席シート６，６が配設されることにより、前席シート５よりも大きな車幅方向寸法を有する後席シート６，６の設置部が形成されている。
【００１６】
上記前席シート５は、乗員の着座部となるシートクッション７と、その後端部に立設されたシートバック８と、上記シートクッション７の下方に配設された左右一対のスライダー９，９とを有し、上記フロアパネル４の前部中央に設置された左右一対のシートレール１０，１０に沿って上記スライダー９，９がスライド変位することにより、前席シート５の前後位置が調節可能に構成されている。
【００１７】
また、上記後席シート６，６は、シートクッション１１とその後端部に立設されたシートバック１２と、上記シートクッション１１の下方に配設された左右一対のスライダー１３，１３とを有し、フロアパネル４の後方部に形成されたキックアップ部１４上に設置された左右一対のシートレール１５，１５に沿ってそれぞれ上記スライダー１３，１３がスライド変位することにより、後席シート６，６の前後位置が調節可能に構成されている。
【００１８】
上記インストルメントパネル２の内部には、図３に示すように、パイプ材等からなるインパネメンバ１６が車幅方向に延びるように設置され、このインパネメンバ１６にステアリング機構１７が図外の支持部材を介して支持されている。また、上記インパネメンバ１６の上方には、エアバッグ装置１８が取付ブラケット１９を介して取り付けられている。このエアバッグ装置１８は、上面部が開口した収容ケース２０内に配設されたインフレータ２１と、その上方に折り畳まれた状態で配設されたエアバッグ２２とを有し、図外の衝突センサにおいて車両の衝突が検出された時点で上記インフレータ２１を作動させ、発生した膨張用ガスを上記エアバッグ２２に供給することにより、このエアバッグ２２を展開させるように構成されている。
【００１９】
上記収容ケース２０の前壁部２０ａおよび後壁部２０ｂは、それぞれ上端部が車体の後方側に位置するように傾斜した状態で設置されることにより、後述する展開時にエアバッグ２２を上部後方側に向けて案内する案内面を構成している。また、上記インストルメントパネル２の上壁部には、エアバッグ２２の設置部に対応する閉止蓋２３が設置され、この閉止蓋２３は、上記エアバッグ２２の展開時に前辺部を支点として揺動変位することにより開放状態となるように構成されている（図３の仮想線参照）。
【００２０】
図４および図５に示すように、上記エアバッグ２２は、車両の衝突時に前席シート５の前面部を覆うように展開する前席用エアバッグ部２４と、後席シート６，６の前面部を覆うように展開する左右一対の後席用エアバッグ部２５，２５とを有し、これらの前席用エアバッグ部２４および後席用エアバッグ部２５，２５が一体的に形成されることにより、平面から見てＵ字型に展開した状態となるように構成されている。
【００２１】
上記前席用エアバッグ部２４は、インストルメントパネル２の上壁部を覆うとともにステアリングホイール３の設置部を回避して車体の後方側に延びるように展開することにより、前席シート５の前面部を覆うように構成されている。すなわち、上記前席用エアバッグ部２４は、その展開時における幅寸法が前席シート５の幅寸法と略同一に設定されるとともに、後端部が前席シート５のシートバック前方部に位置するようにその前後寸法が設定され、かつステアリングホイール３の設置部に対応した凹部２６が下面に形成されることにより、ステアリングホイール３との干渉を回避した状態で、前席シート５に着座した乗員の前後移動を規制し得る位置まで展開するように構成されている。
【００２２】
一方、上記後席用エアバッグ部２５，２５は、その展開時における幅寸法がそれぞれ後席シート６，６の幅寸法と略同一に設定されるとともに、後端部が後席シート６，６に着座した乗員の前方部に位置するようにその前後寸法が設定され、かつ車体の側壁部に沿って車体の後方側に展開することにより、前席シート５の乗員に干渉するのを回避した状態で、後席シート６，６に着座した乗員の前後移動を規制し得る位置まで展開するように構成されている。
【００２３】
また、図６に示すように、上記車体の後面部には、車幅方向略中央部にリヤピラー２８が配設されるとともに、このリヤピラー２８と上記サイドドア１，１との間を連続して覆うようにリヤウインド２９が配設され、これにより上記リヤピラー２８に邪魔されることなく、車両の左右両側における後方視界が確保されるようになっている。また、上記車体の後端部、つまりフロアパネル４の後端部には、リヤエンドパネル４６が後席シート６の設置部と所定距離を置いて配設されるとともに（図７参照）、上記リヤエンドパネル４６の下部後面側には、リヤバンパ３０が車幅方向に延びるように設置されている。
【００２４】
そして、図７〜図１０に示すように、上記リヤエンドパネル４６と後席シート６，６との間には、車両の後突時等にリヤバンパ３０に入力された荷重に応じ、左右の後席シート６，６を駆動してシートレール１５に沿ってそれぞれ車体の前方側に移動させる左右一対の後席駆動手段３１が設けられている。この後席駆動手段３１は、後端部が上記リヤバンパ３０の設置部に接続された丸パイプ材等からなる左右一対の筒状体３２と、この筒状体３２内に配設されてその前端部から所定距離だけ後方側に位置する部位に固定された区画壁３３と、その前方側に配設された圧縮ばね等からなる緩衝部材３４と、その前方側に配設されたプッシャー３５とを有し、後述する車両の後突時等に、このプッシャー３５が後席シート６のロックレバー３６に当接することにより、これを車体に前方側に押動するように構成されている。
【００２５】
上記ロックレバー３６は、車幅方向に延びる棒状体からなる駆動部３７と、この駆動部３７の中央部前面に固着された把持部３８と、上記駆動部３７の左右両端部に設けられて後端部が後席シート６のスライダー１３，１３に枢支された枢支部３９と、この枢支部３９の下面に突設されたたロック部４０と、このロック部４０を下記のロック位置に付勢して後席シート６を拘束状態に保持するための図示を者略したばね部材等からなる付勢手段とを有している。
【００２６】
上記付勢手段の付勢力に応じ、シートレール１５の上壁部に形成された複数の係止孔４１の一つに、上記ロック部４０が係合されることにより、上記スライダー１３，１３のスライド変位が規制されて後席シート６の前後移動が拘束されるようになっている。また、上記ロックレバー３６の把持部３８を後席シート６に着座した乗員が把持し、上記付勢手段の付勢力に抗してロック部４０を上記係止孔４１から離間させる方向にロックレバー３６を揺動変位させることにより、上記後席シート６の前後移動を拘束するロックレバー３６の規制状態が解除され、上記シートレール１５，１５に沿ってスライダー１３，１３をスライド変位させること、つまり上記乗員の好みに応じて後席シート６の前後位置を調節することが許容されるようになっている。
【００２７】
上記後席駆動手段３１のプッシャー３５は、上記筒状体３２の前端部に嵌入されてスライド可能に支持された軸部４２と、上記ロックレバー３６の駆動部３７の下面に沿ってその前方側に延びる受け部４３と、上記駆動部３７の上面に対向してその上方に位置する押え部４４とを有するフォーク状に形成され、上記受け部４３の上面には、後上がりに傾斜する傾斜面４５が形成されている。
【００２８】
通常時には、上記プッシャー３５の押え部４４等がロックレバー３６の駆動部３７に対して所定距離だけ後方側に位置するように配設されることにより、ロックレバー３６と後席駆動手段３１とが互いに離間した状態となっている。そして、車両の後突時等には、上記プッシャー３５が車体の前方側に変位してその基端部がロックレバー３６の駆動部３７に当接することによりこの駆動部３７が前部上方に押動され、上記ロックレバー３６のロック部４０が係止孔４１から離脱して後席シート６の拘束状態が解除されるとともに、上記後席駆動手段３１を介して後席シート６が車体の前方側に押動されるように構成されている。
【００２９】
すなわち、図１１に示すように、上記車両の後端部に他車両Ａが衝突する後突事故等が発生して上記リヤバンパ３０を車体に前方側に移動させようとする大きな衝撃荷重Ｂが作用すると、この衝撃荷重Ｂに応じ、上記フロアパネル４の後方部等が圧縮されて変形しつつ、上記後席駆動手段３１の筒状体３２が上記リヤバンパ３０およびリヤエンドパネル４６により押されて前方側に移動するとともに、上記受け部４４および押え部４４の基端部が上記ロックレバー３６の駆動部３８に当接する。上記後突事故等の発生時における衝撃荷重Ｂが大きいと、上記後席駆動手段３１の緩衝部材３４が圧縮変形することにより衝撃荷重が吸収されつつ、プッシャー３５の軸部４２が筒状体３２内に押し込まれるとともに、上記ロックレバー３６の駆動部３７がプッシャー３５の傾斜面４５により上部前方側に押圧される。
【００３０】
上記プッシャー３５の押上力に応じて図１２および図１３に示すように、係止孔４１を有するシートレール１５の上壁部からロック部４０が離間する方向にロックレバー３６が揺動変位し、このロックレバー３６による後席シート６，６の拘束状態が解除されるとともに、後席シート６，６のスライダー１３を上部前方側に付勢する付勢力が上記ロックレバー３６を介して入力される。これにより上記シートレール１５内に配設された転動ローラ１５ａ等からなるスライダー１３の下方部１３ａがシートレール１５の上壁部下面に当接しつつ、図１１に示すように、後席シート６がスライダー１３とともに車体の前方側に押動されて前方へ移動する。この結果、上記車両の後端部に他車両Ａが衝突した際等の衝撃荷重Ｂに応じて車体の後端部が変形することによる影響が、後席シート６に着座した乗員に及ぶのを効果的に防止できる。
【００３１】
また、上記車両の衝突時には、インストルメントパネル２に配設されたエアバッグ装置１８のインフレータ２１が作動して上記エアバッグ２２にインフレータ２１の膨張用ガスが供給されることにより、上記閉止蓋２３が開放状態となるとともに、上記収容ケース２０の前壁部２０ａおよび後壁部２０ｂに沿ってエアバッグ２２が展開する。そして、このエアバッグ２２を構成する前席用エアバッグ部２４および左右一対の後席用エアバッグ部２５，２５が略同時に展開し、前席用エアバッグ部２４により前席シート５の前面部が覆われるとともに、後席用エアバッグ部２５，２５により左右の後席シート６，６の前面部が覆われるため、前席シート５および後席シート６，６に着座した乗員が上記エアバッグ２２により保護されることになる。
【００３２】
上記のように車室内の前方部にインストルメントパネル２が車幅方向に延びるように設置され、このインストルメントパネル２の車幅方向中央後方側に前席シート５が配設されるとともに、この前席シート５の斜め後方側に複数の乗員が着座可能な後席シート６，６が配設されることにより、この後席シート６，６の前方部に広い空間が形成され、後席シート６，６に着座した乗員の前方視界が良好に確保されるとともに、優れた居住環境が得られるように構成された車両において、上記インストルメントパネル２に、車両の衝突時に展開して後席シート６，６に着座した乗員を保護するエアバッグ２２を備えたエアバッグ装置１８を設けたため、上記後席シート６，６の前方部に助手席シート等からなる前席シートが位置していない場合においても、車両の衝突時等に、後席シート６，６に着座した乗員の前方移動を上記エアバッグ２２により規制してこの乗員を効果的に保護することができるという利点がある。
【００３３】
また、上記実施形態に示すように、エアバッグ装置１８のエアバッグ２２に前席用エアバッグ部２４を設けることにより、前席シート５に着座した乗員を保護するように構成した場合には、上記エアバッグ２２を展開させることにより、運転席からなる前席シート５に着座した乗員と、その斜め後方側に配設された後席シート６，６に着座した乗員とをそれぞれ効果的に保護することができるため、車両の安全性を、さらに向上させることができる。
【００３４】
特に、上記実施形態では、エアバッグ装置１８のエアバッグ２２に、前席シート５に着座した乗員を保護する前席用エアバッグ部２４と、後席シート６，６に着座した乗員を保護する後席用エアバッグ部２５，２５とを設け、これらの前席用エアバッグ部２４および後席用エアバッグ部２５，２５を一体的に形成したため、上記インフレータ２１から供給された膨張用ガスにより前席用エアバッグ部２４および後席用エアバッグ部２５，２５を時差なく略同時に展開させることにより、前席シート５の乗員と後席シート６，６の乗員とをそれぞれ効果的に保護できるという利点がある。
【００３５】
また、上記実施形態では、前席用エアバッグ部２４に、ステアリングホイール３との干渉を回避する凹部２６を形成したため、上記インストルメントパネル２に設置されたエアバッグ２２を展開させる際に、このエアバッグ２２の展開時に上記ステアリングホイール３と干渉してその展開性が阻害されるという事態の発生を効果的に防止し、簡単な構成で上記エアバック２２をスムーズに展開させることができる。
【００３６】
なお、上記実施形態では、車室内の車幅方向中心部に運転席シートからなる前席シート５を設置するとともに、この前席シート５の後方に左右一対の後席シート６，６を配設した例について説明したが、これに限定されることなく、種々の変形が可能である。例えば、車室内の右側または左側にオフセットした位置に上記前席シートを配設するとともにその後方側および斜め後方側に後席シートを配設し、かつ上記インストルメントパネル２に、車両の衝突時に斜め後方に向けて展開することにより、前席シートの斜め後方側に配設された後席シートに着座した乗員を保護するエアバッグ装置を配設した構造とすることも可能である。
【００３７】
しかし、上記実施形態に示すように、車室内の車幅方向中心部に運転席シートからなる前席シート５を配設するとともに、その斜め後方側に左右一対の後席シート６，６を配設した場合には、上記前席シート５の左右両側方部に形成された空間部を荷物等の収納スペースとして利用することができるため、車室の後方側にラゲージルームを設けた場合のように、車体の前後寸法が大きくなり、あるいは車体のデザイン性が悪化する等の問題を生じることなく、乗員用の荷物等を収納するためのスペースを充分に確保することができる。そして、上記車両のインストルメントパネル２に後席用エアバッグ部２５，２５を備えたエアバッグ装置１８を配設し、この後席用エアバッグ部２５，２５を展開させることにより、上記後席シート６，６に着座した乗員をそれぞれ効果的に保護することができる。
【００３８】
また、上記実施形態では、自車両の後端部に他車両Ａが衝突する後突時に、後席シート６，６を車体の前方側に移動させるように駆動する後席駆動手段３１を設けたため、車両の後端部に他車両が衝突した際の衝撃荷重に応じて車体の後端部が変形することに起因する影響が後席シート６，６に着座した乗員に及ぶのを、この後席シート６，６を車体の前方側に移動させることにより効果的に回避することができるとともに、この後席シート６，６が必要以上に車体の前方に移動するという事態の発生を、後席シート６，６の前方部を覆うように展開する上記エアバッグ２２により効果的に防止できるという利点がある。
【図面の簡単な説明】
【００３９】
【図１】本発明に係る車両用エアバッグ装置を備えた車両の平面図である。
【図２】上記車両の車室内の構造を示す側面図である。
【図３】上記車両用エアバッグの具体的構成を示す斜視図である。
【図４】エアバッグの展開状態を示す平面図である。
【図５】エアバッグの展開状態を示す側面図である。
【図６】上記車両の外観構成を示す平面図である。
【図７】後席駆動手段の具体的構成を示す側面断面図である。
【図８】後席駆動手段の具体的構成を示す平面図である。
【図９】後席シートの拘束状態を示す側面断面図である。
【図１０】後席シートの拘束状態を示す正面断面図である。
【図１１】後席シートを前方側に移動させた状態を示す側面断面図である。
【図１２】後席シートの拘束解除状態を示す側面断面図である。
【図１３】後席シートの拘束解除状態を示す正面断面図である。
【符号の説明】
【００４０】
２  インストルメントパネル
３  ステアリングホイール
４  フロアパネル（車室フロア）
５  前席シート
６  後席シート
１８  エアバッグ装置
２２  エアバッグ
２４  前席用エアバッグ部
２５  後席用エアバッグ部
【図１】
2008265667.tif 000003
【図２】
2008265667.tif 000004
【図３】
2008265667.tif 000005
【図４】
2008265667.tif 000006
【図５】
2008265667.tif 000007
【図６】
2008265667.tif 000008
【図７】
2008265667.tif 000009
【図８】
2008265667.tif 000010
【図９】
2008265667.tif 000011
【図１０】
2008265667.tif 000012
【図１１】
2008265667.tif 000013
【図１２】
2008265667.tif 000014
【図１３】
2008265667.tif 000015